(57)【要約】【課題】カードホルダーの回転を防止する機能を有すると共に、ネックストラップをリバーシブルにできるようにすること。【解決手段】帯状本体４は、一方面４ａと他方面４ｂとを有し、連結手段３は、帯状本体４の両端に取り付けられると共に、カードホルダー１の上部の両側に取り付けられるように構成され、連結手段３は、帯状本体４に取り付けられる第１部材３０と、カードホルダー１に取り付けられる第２部材３１と、第１部材３０及び第２部材３１を互いに回転可能にするための回転手段と、帯状本体４の一方面４ａがカードホルダー１の正面に向く第１位置と、帯状本体４の他方面４ｂがカードホルダーの正面に向く第２位置とで、第１部材３０を第２部材３１に位置保持するための位置保持手段と、を備えている。【選択図】図２
2015004941.tif 000002
【特許請求の範囲】
【請求項１】
カードホルダーを使用者の首から吊り下げるためのネックストラップであって、
前記ネックストラップは、
一方面と他方面とを有する帯状の本体と、
前記カードホルダーと前記ネックストラップとを連結するための２個の連結手段と、を備え、
前記連結手段は、
前記帯状本体の両端に取り付けられると共に、前記カードホルダーの上部の両側に取り付けられるように構成され、
前記帯状本体に取り付けられる第１部材と、
前記カードホルダーに取り付けられる第２部材と、
前記第１部材及び前記第２部材を互いに回転可能にするための回転手段と、
前記帯状本体の一方面が前記カードホルダーの正面に向く第１位置と、前記帯状本体の他方面が前記カードホルダーの正面に向く第２位置とで、前記第１部材を前記第２部材に位置保持するための位置保持手段と、を備えている
ことを特徴とするカードホルダーを吊り下げるためのリバーシブルネックストラップ。
【請求項２】
前記連結手段は、さらに、
前記第１部材を前記第２部材に対して半周のみ回転可能なように、前記回転手段を規制するための回転規制手段を備える
ことを特徴とする請求項１に記載のリバーシブルネックストラップ。
【請求項３】
前記回転手段は、
前記第１部材又は前記第２部材の一方に設けられた回転軸と、
前記第１部材又は前記第２部材の他方に設けられ、前記回転軸を回転可能に支持するための軸受部と、を備え、
前記回転規制手段は、
前記第１部材又は前記第２部材の一方に設けられ、前記回転軸の軸方向に対して直角方向に突出する係止部と、
前記第１部材又は前記第２部材の他方に設けられ、前記係止部を半周のみ回転可能にするための半周空間と、
前記第１部材又は前記第２部材の他方に設けられ、前記第１位置と前記第２位置とで前記係止部を当接する当接部と、を備える
ことを特徴とする請求項２に記載のリバーシブルネックストラップ。
【請求項４】
前記位置保持手段は、
前記第１部材又は前記第２部材の一方に設けられた凸部と、
前記第１部材又は前記第２部材の他方に設けられた凹部と、を備え、
前記凸部と前記凹部とは、前記第１位置と前記第２位置とで噛み合うように構成されている
ことを特徴とする請求項１〜３のいずれかに記載リバーシブルネックストラップ。
【請求項５】
カードホルダーと請求項１〜４のいずれかに記載のリバーシブルネックストラップとからなることを特徴とするカードホルダー付きリバーシブルネックストラップ。
【発明の詳細な説明】
【技術分野】
【０００１】
本発明は、名刺、社員証、ＩＣカードなどが収納されたカードホルダーを、職場やイベント会場などを入退する使用者の首から吊り下げるためのリバーシブルネックストラップ、及びリバーシブルネックストラップ付きカードホルダー関する。
【背景技術】
【０００２】
周知の通り、職場やイベント会場などでは、名刺、社員証、ＩＣカードなどが収納されたカードホルダーが入退出者の首に吊り下げられて、入退出者の自己を表示すると共に、セキュリティーを高める。そして、カードホルダーを使用者の首から吊り下げるために、ネックストラップが用いられ、このネックストラップは、カードホルダーに連結するための連結手段を備える。
【０００３】
カードホルダーは、透明な合成樹脂で形成されており、カードを出し入れできるように構成されている。ネックストラップは、連結手段を介してカードホルダーに取り付けられ、入退出者の首に吊り下げられる。
【０００４】
従来のネックストラップ付きカードホルダーでは、例えば特許文献１の通り、カードホルダーは、その上部の中央に１個の孔部を備えており、この孔部に１個の連結手段が取り付けられている。すなわち、従来のネックストラップ付きカードホルダーでは、カードホルダーは、その上部の中央の１点で、ネックストラップが取り付けられている。
【０００５】
そのため、入退出者が、従来のネックストラップ付きカードホルダーを首に吊り下げて歩いていると、カードホルダーが、１個の連結手段を中心にして回転することがある。その結果、カードホルダーが回転して裏返ると、その都度、入退出者は、カードホルダーを戻さなければならなかった。
【０００６】
そこで、カードホルダーの上部の両端側に、所定間隔を置いて２個の孔部を設け、これら２個の孔部にそれぞれ連結手段を設けて、これら２個の連結手段にネックストラップを取り付けたネックストラップ付きカードホルダーが考えられる。このネックストラップ付きカードホルダーでは、カードホルダーは、上部の両端側の２点で、ネックストラップが取り付けられている。
【０００７】
このネックストラップ付きカードホルダーでは、ネックストラップの両端が、所定間隔を置いた２点で、カードホルダーに連結されているので、このネックストラップ付きカードホルダーを使用者の首に吊り下げて歩いていても、カードホルダーを回転しないようになっている。
【０００８】
ところで、従来のネックストラップ付きカードホルダーでは、ネックストラップの連結手段は、単にカードホルダーを連結する機能しか有さない。そのため、ネックストラップの本体が、紐状ではなく帯状で、ネックストラップの両面に異なる模様や色彩を施している場合でも、ネックストラップを簡単に反転できず、使用者は、いちいちネックストラップとカードホルダーとを分離して反転しなければならず、手間ひまが非常にかかる。その結果、ネックストラップの両面に、それぞれ独立の商品価値を持たせることが難しかった。
【先行技術文献】
【特許文献】
【０００９】
【特許文献１】特開２０１１−２１５２３２号公報
【発明の概要】
【発明が解決しようとする課題】
【００１０】
そこで、本発明が解決しようとする課題は、カードホルダーの回転を防止する機能を有すると共に、ネックストラップをリバーシブルにできる、カードホルダーを吊り下げるためのリバーシブルネックストラップ、及びリバーシブルネックストラップ付きカードホルダーを提供することにある。
【課題を解決するための手段】
【００１１】
上記課題を解決するために、本発明に係るカードホルダーを吊り下げるためのリバーシブルネックストラップは、
カードホルダーを使用者の首から吊り下げるためのネックストラップであって、
ネックストラップは、
一方面と他方面とを有する帯状の本体と、
カードホルダーとネックストラップとを連結するための２個の連結手段と、を備え、
連結手段は、
帯状本体の両端に取り付けられると共に、カードホルダーの上部の両側に取り付けられるように構成され、
帯状本体に取り付けられる第１部材と、
カードホルダーに取り付けられる第２部材と、
第１部材及び第２部材を互いに回転可能にするための回転手段と、
帯状本体の一方面がカードホルダーの正面に向く第１位置と、帯状本体の他方面がカードホルダーの正面に向く第２位置とで、第１部材を第２部材に位置保持するための位置保持手段と、を備えている。
【００１２】
好ましくは、
連結手段は、さらに、
第１部材を第２部材に対して半周のみ回転可能なように、回転手段を規制するための回転規制手段を備える。
【００１３】
好ましくは、
回転手段は、
第１部材又は第２部材の一方に設けられた回転軸と、
第１部材又は第２部材の他方に設けられ、回転軸を回転可能に支持するための軸受部と、を備え、
回転規制手段は、
第１部材又は第２部材の一方に設けられ、回転軸の軸方向に対して直角方向に突出する係止部と、
第１部材又は第２部材の他方に設けられ、係止部を半周のみ回転可能にするための半周空間と、
第１部材又は第２部材の他方に設けられ、第１位置と第２位置とで係止部を当接する当接部と、を備える。
【００１４】
好ましくは、
位置保持手段は、
第１部材又は第２部材の一方に設けられた凸部と、
第１部材又は第２部材の他方に設けられた凹部と、を備え、
凸部と凹部とは、第１位置と第２位置とで噛み合うように構成されている。
【００１５】
また、本発明に係るカードホルダー付きリバーシブルネックストラップは、カードホルダーと上記リバーシブルネックストラップとからなる。
【発明の効果】
【００１６】
本発明に係るカードホルダーを吊り下げるためのリバーシブルネックストラップでは、帯状本体が、２個の連結手段を介して、カードホルダーの上部の両側の２点で、所定間隔を置いて連結されるので、カードホルダーを使用者の首に吊り下げて歩いていても、カードホルダーが回転しないようになっている。
【００１７】
さらに、本発明に係るリバーシブルネックストラップでは、本体が帯状になっており、連結手段の第１部材と第２部材とを回転可能にするための回転手段が備えられる。さらに、リバーシブルネックストラップは、帯状本体の一方面が正面側に向く第１位置と、帯状本体の他方面が正面側に向く第２位置とで、第１部材と第２部材とを位置保持するための位置保持手段を備える。
【００１８】
本発明に係るリバーシブルネックストラップは、上記の通り構成されているので、帯状本体を簡単に反転して、その位置を保持できる。その結果、帯状本体の両面に異なる模様や色彩を施すことで、帯状本体の両面に、それぞれ独立の商品価値を持たせることができる。
【図面の簡単な説明】
【００１９】
【図１】リバーシブルネックストラップ付きカードホルダーを示す正面図。
【図２】第１部材が第２部材に対して回転しているときの連結手段を示す斜視図。
【図３】開いた状態の第１部材を示し、（Ａ）は正面図、（Ｂ）は底面図。
【図４】第２部材を示し、（Ａ）は正面図、（Ｂ）は側面図。
【図５】回転規制手段を説明するための断面図。
【発明を実施するための形態】
【００２０】
以下、図面に基づいて、本発明に係るカードホルダーを吊り下げるためのリバーシブルネックストラップ及びカードホルダー付きリバーシブルネックストラップについて説明する。
【００２１】
図１の通り、カードホルダー１は、社員証、名刺、ＩＣカード等のカードを収納する。カードホルダー１を吊り下げるためのリバーシブルネックストラップ（以下、単に「ネックストラップ」という）２は、カードホルダー１を使用者の首から吊り下げるための帯状の本体４と、カードホルダー１とネックストラップ２とを連結するための２個の連結手段３，３と、を備える。
【００２２】
カードホルダー１は、カードを収納できるように矩形状に構成されている。カードホルダー１は、透明な合成樹脂で形成されており、カードホルダー１の正面１ａを使用者の反対側（外側）に向けることで、第三者が収納されたカードを外側から認識できるようになっている。
【００２３】
カードホルダー１は、その上部の両側に形成された２個の孔部１０，１０を備えている。孔部１０，１０は、所定間隔を置いて配置される。ネックストラップ２は、帯状本体４の両端に設けられた２個の連結手段３，３を備える。２個の連結手段３，３は、カードホルダー１の孔部１０，１０に取り付けられる。
【００２４】
ネックストラップ２は、２個の連結手段３，３を介して、カードホルダー１の上部の両側の２点（２個の孔部１０，１０）で、所定間隔を置いて連結されている。これによって、ネックストラップ２を連結したカードホルダー１を使用者の首に吊り下げて歩いていても、カードホルダー１が回転しないようになっている。そのため、常時、カードホルダー１の正面１ａが使用者の反対側（外側）に向いており、第三者は収納されたカードを認識できるようになっている。
【００２５】
帯状本体４は、一方面４ａと他方面４ｂとを有する布製の部材で構成されている。帯状本体４は、一方面４ａと他方面４ｂとにそれぞれ異なる模様や色彩が施されている。
【００２６】
図２の通り、連結手段３は、帯状本体４に取り付けられる第１部材３０と、カードホルダー１に取り付けられる第２部材３１と、からなる。第１部材３０と第２部材３１とは、互いに回転可能に構成されている。その結果、図１では、帯状本体４の一方面４ａがカードホルダーの正面１ａに向いているが、各連結手段３の第１部材３０を第２部材３１に対して反転することで、帯状本体４の他方面４ｂを簡単にカードホルダー１の正面１ａに向けることができる。これにより、帯状本体４をリバーシブルにできる。
【００２７】
図３の通り、第１部材３０は、開閉可能に連結された一対の本体部３０５，３０５を備える。本体部３０５，３０５を閉じて帯状本体４を挟むことで、第１部材３０に帯状本体４を取り付けることができる。これにより、帯状本体４は第１部材３０に固定される。
【００２８】
また、図４の通り、第２部材３１は、フック部３０４を備える。フック部３０４をカードホルダー１の孔部１０に挿通して引っ掛けることで、カードホルダー１とネックストラップ２とを連結できる。
【００２９】
連結手段３は、第１部材３０及び第２部材３１を互いに回転可能にするための回転手段３３を備える。回転手段３３は、第２部材３１に設けられた回転軸３００を備える（図４）。回転軸３００の軸方向は、ネックストラップ２の長さ方向と一致する。さらに、回転手段３３は、第１部材３０に設けられ、回転軸３００を回転可能に支持するための軸受部３０１，３０１を備える（図３）。第１部材３０の本体部３０５，３０５を閉じて、第２部材３１の回転軸３００を第１部材３０の軸受部３０１に挟むことで、組み合わされた第１部材３０と第２部材３１とが互いに回転可能になる。
【００３０】
連結手段３は、帯状本体４の一方面４ａがカードホルダー１の正面１ａに向く第１位置と、帯状本体４の他方面４ｂがカードホルダー１の正面１ａに向く第２位置とで、第１部材３０を第２部材３１に位置保持するための位置保持手段３５を備える。すなわち、第１位置と第２位置とは１８０度回転（反転）した位置になる。
【００３１】
位置保持手段３５は、第１部材３０に設けられた凸部３０７，３０７と（図３）、第２部材３１に設けられた凹部３０８，３０８と（図４）を備える。第１部材３０と第２部材３１とが組み合わさると、凸部３０７，３０７と凹部３０８，３０８とが対向する。そして、第１部材３０と第２部材３１とを反転する（帯状本体４を第１位置と第２位置とに切り替える）たびに、凸部３０７，３０７と凹部３０８，３０８とが互いに噛み合って、第１部材３０を第２部材３１に位置保持する。
【００３２】
連結手段３は、第１部材３０を第２部材３１に対して半周のみ回転可能（半回転のみ可能）なように、回転手段３３を規制するための回転規制手段３４を備える。回転規制手段３４は、第２部材３１に設けられた係止部３０２を備える。係止部３０２は、回転軸３００の軸方向に対して直角方向に突出する（図４）。なお、係止部３０２と反対側に延設された突起部３０９は、係止部３０２より短く構成され、第１部材３０と第２部材３１とを組み合わせた際に、第１部材３の本体部３０５に引っ掛かり、第２部材３１が第１部材３０から分離しないように用いられる。
【００３３】
さらに、図５の通り、回転規制手段３４は、第１部材３０に設けられた半周空間３０３を備える。半周空間３０３は、回転軸３００が軸受部３０１に支持されるときに、係止部３０２が半周（１８０度）のみ回転可能な空間となっている。そして、回転規制手段３４は、第１部材３０に設けられた当接部３０６，３０６を備える（図５）。第１部材３０と第２部材３１とを反転（半回転）する（帯状本体４を第１位置と第２位置とに切り替える）たびに、係止部３０２が当接部３０６，３０６に当接して、回転手段３３の回転が規制される。
【００３４】
なお、上記実施形態では、回転規制手段３４によって、第１部材３０が第２部材３１に対して半周のみ回転可能になっている。そのため、使用者がネックストラップ２を首から吊り下げたまま反転しても、帯状本体４は捻じれることがなく、利便性に優れた構成になっている。ただし、回転規制手段３４を備えていない場合、即ち、回転手段３３が３６０度回転（全回転）可能であっても、ネックストラップ２を使用者の首から外すことで、帯状本体４を捻じれることなく反転でき、ネックストラップ２をリバーシブルにできる。
【００３５】
上記実施形態では、回転軸３００は第２部材３１に設けられ、軸受部３０１は第１部材３０に設けられているが、第１部材３０に回転軸３００が設けられ、第２部材３１に軸受部３０１が設けられていても良い。また、上記実施形態では、凸部３０７は第１部材３０に設けられ、凹部３０８は第２部材３１に設けられているが、第１部材３０に凹部３０８が設けられ、第２部材３１に凸部３０７が設けられていても良い。
【符号の説明】
【００３６】
１  カードホルダー
１ａ  カードホルダーの正面
２  ネックストラップ
３  連結手段
３０  第１部材
３１  第２部材
３３  回転手段
３００  回転軸
３０１  軸受部
３４  回転規制手段
３０２  係止部
３０３  半周空間
３０６  当接部
３５  位置保持手段
３０７  凸部
３０８  凹部
４  帯状本体
４ａ  帯状本体の一方面
４ｂ  帯状本体の他方面
【図１】
2015004941.tif 000003
【図２】
2015004941.tif 000004
【図３】
2015004941.tif 000005
【図４】
2015004941.tif 000006
【図５】
2015004941.tif 000007